(57)【特許請求の範囲】
【請求項１】
第１の高周波信号が入力される第１入力端子と、前記第１の高周波信号とは周波数帯域の異なる第２の高周波信号を含む高周波信号が入力される第２入力端子と、第１増幅器で増幅された前記第１の高周波信号および第２増幅器で増幅された前記第２の高周波信号が混合されて出力される出力端子とを備えるブースターであって、
前記第１入力端子と、前記第１増幅器との間に挿入された第１切換回路と、第１終端抵抗と、第２スイッチとの間に挿入された第２切換回路とを有する第１スイッチと、
分波器と、前記第１スイッチとの間に挿入された第３切換回路と、動作電源と、前記第２入力端子との間に挿入された第４切換回路とを有する前記第２スイッチと、
前記第２入力端子に入力された高周波信号を、前記第１の高周波信号の成分と前記第２の高周波信号の成分に分波し、分波した第１の高周波信号成分を前記第２スイッチに、分波した第２の高周波信号成分を前記第２増幅器に供給する前記分波器とを備え、
前記第１スイッチを切り換えた際に、前記第１切換回路により、前記第１の入力端子に入力された前記第１の高周波信号が前記第１増幅器に供給され、前記第２切換回路により、前記第２スイッチからの前記第１の高周波信号成分が前記第１終端抵抗で終端され、前記第１スイッチを反対側へ切り換えた際に、前記第１切換回路および前記第２切換回路により、前記第２スイッチからの前記第１の高周波信号成分が前記第１増幅器に供給され、
前記第２スイッチを切り換えた際に、前記第３切換回路により、前記分波器からの前記第１の高周波信号成分が第２終端抵抗で終端され、前記第４切換回路により、前記動作電源が前記第２入力端子から出力され、前記第２スイッチを反対側へ切り換えた際に、前記第３切換回路により、前記分波器からの前記第１の高周波信号成分が前記第１スイッチへ供給され、前記第４切換回路により、前記動作電源の前記第２入力端子への供給が停止されることを特徴とするブースター。
【請求項２】
さらに、前記第２スイッチは、前記第３切換回路により、前記分波器からの前記第１の高周波信号成分が前記第１スイッチへ供給される場合に、前記第４切換回路により、前記動作電源が前記第２入力端子に供給される切換位置にも、切り換えることができることを特徴とする請求項１に記載のブースター。
【請求項３】
前記第２スイッチと前記第２入力端子との間に高周波信号を阻止するチョークコイルが挿入されていることを特徴とする請求項１または２に記載のブースター。
【発明の詳細な説明】
【技術分野】
【０００１】
本発明は、周波数帯域の異なる複数の高周波信号を増幅して出力するブースターに関する。
【背景技術】
【０００２】
地上デジタル放送およびＢＳ・ＣＳ衛星放送を共同受信する共同受信システムの構成の一例を図３に示す。
図３に示す共同受信システム１００は、地上デジタル放送をＵＨＦアンテナ１１０で受信し、ＢＳ・ＣＳ衛星放送をＢＳ・ＣＳアンテナ１１１で受信している。ＵＨＦアンテナ１１０で受信したＵＨＦ受信信号と、ＢＳ・ＣＳアンテナ１１１で受信し中間周波数に変換したＢＳ・ＣＳ信号とは、第１ブースター１１２に別々に供給されてそれぞれ増幅される。ＵＨＦ受信信号とＢＳ・ＣＳ信号とは周波数帯域が異なっており、増幅されてから混合されて第１ブースター１１２から受信信号として出力される。第１ブースター１１２から出力される受信信号は、分配器１２０で４分配され、それぞれの分配出力は、さらに、４分配器１１３ａ，１１３ｂ，１１３ｃ，１１３ｄにより４分配されていく。さらにまた、４分配器１１３ａ〜１１３ｄからのそれぞれの分配信号は、４分配器１１５ａ，１１５ｂ，１１５ｃ，１１５ｃおよび図示しない分配器により分配されていき、各世帯に供給される。これにより、各世帯では供給された分配信号をテレビ受像機やレコーダに供給することにより、地上デジタル放送やＢＳ・ＣＳ放送を視聴できるようになる。なお、分配するにつれて分配された受信信号のレベルが低下することから、第２ブースター１１４のように分配器間に必要に応じてブースターを設けることができる。
【０００３】
なお、ＢＳ・ＣＳアンテナ１１１は、受信信号を中間周波数に変換するコンバーターを動作させる動作電源が必要であり、動作電源を必要としている。第１ブースター１１２や第２ブースター１１４は、増幅するための動作電源を有していることから、この動作電源を利用してＢＳ・ＣＳアンテナ１１１に供給することができる。図３には第１ブースター１１２からＢＳ・ＣＳアンテナ１１１に動作電源を供給する例を示している。
また、ＵＨＦアンテナ１１０とＢＳ・ＣＳアンテナ１１１とが近傍に設置されている場合は、共同受信システム１００の一部の構成を示す図４のように、ＵＨＦアンテナ１１０で受信したＵＨＦ受信信号と、ＢＳ・ＣＳアンテナ１１１で受信し中間周波数に変換したＢＳ・ＣＳ信号とが、混合器１１６で混合されてから、第３ブースター１１５に供給されるよう構成することができる。この場合、混合器１１６では、通過周波数帯域がＵＨＦ受信信号の周波数帯域とされたバンドパスフィルター（ＢＰＦ）を通過させたＵＨＦ受信信号と、通過周波数帯域がＢＳ・ＣＳ信号の周波数帯域とされたＢＰＦを通過させたＢＳ・ＣＳ信号とを混合している。ＢＳ・ＣＳアンテナ１１１への動作電源は、第３ブースター１１５から混合器１１６を介して供給される。
【０００４】
第１ブースター１１２と第２ブースター１１４と第３ブースター１１５とは、同じ構成のブースターとされており、図３に示す第１ブースター１１２のようにＵＨＦ受信信号とＢＳ・ＣＳ信号とが別々に入力される場合と、図３に示す第２ブースター１１４および図４に示す第３ブースター１１５のようにＵＨＦ受信信号とＢＳ・ＣＳ信号とを混合した受信信号が入力される場合とがあり、その入力態様に応じて内蔵されている切換回路を切り換えている。この切換回路は、ＵＨＦ受信信号とＢＳ・ＣＳ信号とがそれぞれ別の入力端子に入力された場合は、一の入力端子に入力されたＢＳ・ＣＳ信号をＢＳ・ＣＳ増幅器で増幅し、他の入力端子に入力されたＵＨＦ受信信号をＵＨＦ増幅器で増幅する。そして、増幅されたＵＨＦ受信信号とＢＳ・ＣＳ信号とを混合して出力する。また、一の入力端子にＵＨＦ受信信号とＢＳ・ＣＳ信号とを混合した受信信号が入力される場合は、一の入力端子に入力されたＵＨＦ受信信号とＢＳ・ＣＳ信号とを分波して、分波したＵＨＦ受信信号をＵＨＦ増幅器に、分波したＢＳ・ＣＳ信号をＢＳ・ＣＳ増幅器に印加して増幅するように切り換えている。また、ＢＳ・ＣＳアンテナ１１１の動作電源を、必要に応じて一の入力端子から出力するよう切り換えている。
【０００５】
従来、切換回路が内蔵されているブースターが知られている。特許文献１に記載された従来のブースターは、高周波信号を入力する入力端子と、入力端子に入力される前記高周波信号の種類に対応した複数のモードから一つのモードを選択するスイッチ（例えば、光運用モードとＣＡＴＶモードとＵＨＦモードを切り換える光運用／ＣＡＴＶ／ＵＨＦ切換スイッチ）と、前記スイッチの選択状態に応じて減衰量を変更する減衰部とを備えている。また、特許文献２に記載されたブースターは、入力端子に供給された下りＣＡＴＶ信号を下り増幅段が増幅し、出力端子に供給し、上り増幅段は、電源端子に動作電流が供給されたとき動作し、出力端子に供給された上りＣＡＴＶ信号を増幅し、入力端子に供給し、切換スイッチの接点が入力端子と上り増幅段の電源端子に接続され、切換スイッチの接点が下り増幅段の入力側に接続され、かつ直流電源に接続され、切換スイッチが接点間を直接に接続する状態と、入力端子にＵＨＦ帯テレビ信号が供給された場合、接点間にＵＨＦ帯のテレビジョン放送信号を通過させるバンドパスフィルタと直流阻止コンデンサの直列回路を接続した状態とに切り換えている。
上記した従来のブースターでは、ＵＨＦ受信信号とＢＳ・ＣＳ信号とが別々に供給される場合と、ＵＨＦ受信信号とＢＳ・ＣＳ信号とを混合した受信信号が供給される場合とで切り換えることはできない。
【０００６】
ここで、従来提案されているブースター２００の構成を示す回路図を図５に示す。
図５に示すブースター２００は、ＵＨＦ受信信号が入力されるＵＨＦ入力端子２１０と、ＢＳ・ＣＳ受信信号が入力されるＢＳ・ＣＳ入力端子２１１と、混合されたＵＨＦ受信信号とＢＳ・ＣＳ信号とが出力される出力端子２１２とを備えている。ＢＳ・ＣＳ入力端子２１１には、ＢＳ・ＣＳ信号が入力される場合と、ＵＨＦ受信信号とＢＳ・ＣＳ信号とが混合されて入力される場合とがある。２回路２接点とされたスイッチＳＷ２０１は、ＵＨＦ受信信号がＵＨＦ入力端子２１０に入力された際に、図示するように切り換えられ、ＢＳ・ＣＳ信号にＵＨＦ受信信号が混合されてＢＳ・ＣＳ入力端子２１１に入力された場合は、反対側に切り換えられる。すなわち、スイッチＳＷ２０１が図示するように切り換えられた場合は、可動接点ａ２が固定接点ａ１に接続されると共に、可動接点ｂ２が固定接点ｂ１に接続され、ＵＨＦ入力端子２１０に入力されたＵＨＦ受信信号が、接点ａ１−ａ２を介してＵＨＦ増幅器２１４に供給される。また、ＢＳ・ＣＳ入力端子２１１に入力された信号の内の分波器２１３で分波されたＵＨＦ受信信号の成分（この場合は、ＵＨＦ受信信号はない）は、接点ｂ２−ｂ１を介して終端抵抗Ｒ２０１で終端される。なお、ＢＳ・ＣＳ入力端子２１１に入力された信号の内の分波器２１３で分波されたＢＳ・ＣＳ信号の成分は、ＢＳ・ＣＳ増幅器２１５に供給される。そして、ＵＨＦ増幅器２１４で増幅されたＵＨＦ受信信号と、ＢＳ・ＣＳ増幅器２１５で増幅されたＢＳ・ＣＳ信号とが合波器２１６で混合されて出力端子２１２から出力される。
【０００７】
また、スイッチＳＷ２０１が反対側に切り換えられた場合は、可動接点ａ２が固定接点ａ３に接続されると共に、可動接点ｂ２が固定接点ｂ３に接続され、ＵＨＦ受信信号が入力されない場合は固定接点ａ１が開放され、固定接点ａ３と固定接点ｂ３とは予め接続線で接続されている。これにより、ＢＳ・ＣＳ入力端子２１１に入力された信号の内の分波器２１３で分波されたＵＨＦ受信信号の成分が、接点ｂ２−ｂ３−ａ３−ａ２を介してＵＨＦ増幅器２１４に供給され、ＢＳ・ＣＳ入力端子２１１に入力された信号の内の分波器２１３で分波されたＢＳ・ＣＳ信号の成分が、ＢＳ・ＣＳ増幅器２１５に供給される。そして、ＵＨＦ増幅器２１４で増幅されたＵＨＦ受信信号と、ＢＳ・ＣＳ増幅器２１５で増幅されたＢＳ・ＣＳ信号とが合波器２１６で混合されて出力端子２１２から出力される。
【０００８】
ところで、ＢＳ・ＣＳアンテナ１１１が必要とする動作電源を、ブースター２００から供給することができる。供給する場合は、２回路２接点のスイッチＳＷ２０２を図示するように切り換える。すなわち、スイッチＳＷ２０２が図示するように切り換えられた場合は、可動接点ｃ２が固定接点ｃ３に接続されると共に、可動接点ｄ２が固定接点ｄ３に接続される。可動接点ｃ２と可動接点ｄ２間と、固定接点ｃ３と固定接点ｄ３間とは予め接続されていることから、可動接点ｃ２，ｄ２に供給された動作電源Vconv２１７は、接点ｃ２−ｃ３および接点ｄ２−ｄ３を介してチョークコイルＣＨ２０１に供給され、高周波信号を阻止するチョークコイルＣＨ２０１を通過した動作電源Vconv２１７がＢＳ・ＣＳ入力端子２１１から出力される。ブースター２００が第１ブースター１１２として用いられる時は、ブースター２００から出力された動作電源Vconv２１７は、図３に示すように第１ブースター１１２からＢＳ・ＣＳアンテナ１１１に供給される。また、動作電源をブースター２００から供給しない場合は、スイッチＳＷ２０２を反対側に切り換える。これにより、可動接点ｃ２，ｄ２に供給された動作電源Vconv２１７は、開放された固定接点ｃ１，ｄ１に接続されるようになり、動作電源Vconv２１７はどこにも供給されない。
【先行技術文献】
【特許文献】
【０００９】
【特許文献１】特開２０１３−５８８６２号公報
【特許文献２】特開２０１１−２９９０９号公報
【発明の概要】
【発明が解決しようとする課題】
【００１０】
ＢＳ・ＣＳアンテナ１１１では、受信信号を中間周波数に変換するコンバーターにおいて、変換する際にノイズが発生することが知られている。このノイズはＵＨＦ帯に及ぶことから、従来のブースター２００では、ＢＳ・ＣＳ入力端子２１１にＢＳ・ＣＳ信号が入力されて、分波器２１３で分波された際に、分波されたＵＨＦ受信信号成分はコンバーターで発生したノイズの成分となる。そこで、スイッチＳＷ２０１を切り換えることにより、このノイズ成分を接点ｂ２−ｂ１の経路を介して終端抵抗Ｒ２０１で終端している。これにより、ＵＨＦ増幅器２１４の入力にノイズが混入することが防止される。しかし、スイッチＳＷ２０１の接点間のアイソレーションが一般的なスイッチでは有限であることから、スイッチＳＷ２０１の接点間を介して漏れたＵＨＦ帯のノイズがＵＨＦ増幅器２１４の入力に混入して、ＵＨＦ受信信号の視聴に支障を及ぼすおそれが生じる。このため、従来のブースター２００においては、スイッチＳＷ２０１として接点間のアイソレーション特性の良好な高周波スイッチを用いるようにしていた。しかしながら、高周波スイッチは高価であるという問題点があった。
【００１１】
そこで、本発明は、周波数帯域の異なる複数の高周波信号を増幅して出力するブースターにおいて、高周波スイッチを用いることなく良好なアイソレーション特性が得られ、高周波スイッチを用いた際にはさらに良好なアイソレーション特性を得ることができるブースターを提供することを目的としている。
【課題を解決するための手段】
【００１２】
本発明のブースターは、第１の高周波信号が入力される第１入力端子と、前記第１の高周波信号とは周波数帯域の異なる第２の高周波信号を含む高周波信号が入力される第２入力端子と、第１増幅器で増幅された前記第１の高周波信号および第２増幅器で増幅された前記第２の高周波信号が混合されて出力される出力端子とを備えるブースターであって、
前記第１入力端子と、前記第１増幅器との間に挿入された第１切換回路と、第１終端抵抗と、第２スイッチとの間に挿入された第２切換回路とを有する第１スイッチと、分波器と、前記第１スイッチとの間に挿入された第３切換回路と、動作電源と、前記第２入力端子との間に挿入された第４切換回路とを有する前記第２スイッチと、前記第２入力端子に入力された高周波信号を、前記第１の高周波信号の成分と前記第２の高周波信号の成分に分波し、分波した第１の高周波信号成分を前記第２スイッチに、分波した第２の高周波信号成分を前記第２増幅器に供給する前記分波器とを備え、前記第１スイッチを切り換えた際に、前記第１切換回路により、前記第１の入力端子に入力された前記第１の高周波信号が前記第１増幅器に供給され、前記第２切換回路により、前記第２スイッチからの前記第１の高周波信号成分が前記第１終端抵抗で終端され、前記第１スイッチを反対側へ切り換えた際に、前記第１切換回路および前記第２切換回路により、前記第２スイッチからの前記第１の高周波信号成分が前記第１増幅器に供給され、前記第２スイッチを切り換えた際に、前記第３切換回路により、前記分波器からの前記第１の高周波信号成分が第２終端抵抗で終端され、前記第４切換回路により、前記動作電源が前記第２入力端子から出力され、前記第２スイッチを反対側へ切り換えた際に、前記第３切換回路により、前記分波器からの前記第１の高周波信号成分が前記第１スイッチへ供給され、前記第４切換回路により、前記動作電源の前記第２入力端子への供給が停止されることを最も主要な特徴としている。
【００１３】
また、本発明のブースターにおいて、さらに、前記第２スイッチは、前記第３切換回路により、前記分波器からの前記第１の高周波信号成分が前記第１スイッチへ供給される場合に、前記第４切換回路により、前記動作電源が前記第２入力端子に供給される切換位置にも、切り換えることができるようにしてもよい。
さらに、本発明のブースターにおいて、前記第２スイッチと前記第２入力端子との間に高周波信号を阻止するチョークコイルが挿入されていてもよい。
【発明の効果】
【００１４】
本発明のブースターにおいて、第１入力端子に第１の高周波信号が入力される場合は、第２入力端子には第１の高周波信号は供給されず、第２スイッチは、分波器で分波された第１の高周波信号成分を終端するよう切り換えられる。また、第１スイッチは、第１入力端子に入力された第１の高周波信号を第１増幅器に供給するよう切り換えられる。この場合、分波器で分波された第１の高周波信号成分はノイズ成分であり、このノイズ成分が終端されるようになる。そして、第２スイッチの接点間のアイソレーションに応じて減衰された上記ノイズ成分が第１スイッチへ漏れることになるが、漏れたノイズ成分は第１スイッチの接点間のアイソレーションに応じてさらに減衰される。これにより、第１スイッチとして高周波スイッチを用いなくても、第１増幅器には第１の高周波信号の視聴に影響しない程度しかノイズ成分が漏れないようになる。また、第１スイッチとして高周波スイッチを用いると、漏れるノイズ成分をさらに低減することができる。
【図面の簡単な説明】
【００１５】
【図１】本発明の第１実施例のブースターの回路構成を示す回路図である。
【図２】本発明の第２実施例のブースターの回路構成を示す回路図、および、スイッチの切換ポジションを示す回路図である。
【図３】地上デジタル放送およびＢＳ・ＣＳ衛星放送を共同受信する共同受信システムの構成の一例を示す図である。
【図４】図３に示す共同受信システムの変形例の一部の構成を示す図である。
【図５】従来提案されているブースターの回路構成を示す回路図である。
【発明を実施するための形態】
【００１６】
本発明のブースター１の第１実施例の回路構成を示す回路図を図１に示す。本発明の第１実施例のブースター１は、図３に示す共同受信システム１００における第１ブースター１１２および第２ブースター１１４に替えて使用することができる。
図１に示す第１実施例のブースター１は、ＵＨＦ受信信号が入力されるＵＨＦ入力端子１０と、ＢＳ・ＣＳ信号が入力されるＢＳ・ＣＳ入力端子１１と、増幅されて混合されたＵＨＦ受信信号とＢＳ・ＣＳ信号とが出力される出力端子１２とを備えている。ＢＳ・ＣＳ信号とは、ＢＳ・ＣＳアンテナで受信され中間周波数に変換された高周波信号である。ＢＳ・ＣＳ入力端子１１には、図３，４に示すようにＢＳ・ＣＳ信号が入力される場合と、ＵＨＦ受信信号とＢＳ・ＣＳ信号とが混合されて入力される場合とがある。ＢＳ・ＣＳ入力端子１１にＵＨＦ受信信号とＢＳ・ＣＳ信号とが混合されて入力される場合は、ＵＨＦ入力端子１０には、ＵＨＦ受信信号は入力されない。そして、第１スイッチＳＷ１は、２回路２接点のスイッチとされ、ＵＨＦ受信信号がＵＨＦ入力端子１０に入力された際に、図示するように切り換えられ、ＢＳ・ＣＳ信号にＵＨＦ受信信号が混合されてＢＳ・ＣＳ入力端子１１に入力された場合は、反対側に切り換えられる。すなわち、第１スイッチＳＷ１が図示するように切り換えられた場合は、第１回路の可動接点ａ２が固定接点ａ１に接続されると共に、第２回路の可動接点ｂ２が固定接点ｂ１に接続され、ＵＨＦ入力端子１０に入力されたＵＨＦ受信信号が、第１回路の接点ａ１−ａ２を介してＵＨＦ増幅器１４に供給される。また、第２回路の可動接点ｂ２に接続線で予め接続されている第２スイッチＳＷ２の固定接点ｃ１が、固定接点ｂ１に接続されている第１終端抵抗Ｒ１で終端される。なお、第２スイッチＳＷ２は、２回路２接点のスイッチとされている。
【００１７】
ＢＳ・ＣＳ入力端子１１に入力された高周波信号は、分波器１３でＵＨＦ受信信号の成分とＢＳ・ＣＳ信号の成分とに分波される。分波器１３で分波されたＵＨＦ受信信号成分は、第２スイッチＳＷ２の第１回路の可動接点ｃ２に供給され、分波器１３で分波されたＢＳ・ＣＳ信号の成分は、ＢＳ・ＣＳ増幅器１５に供給される。そして、ＵＨＦ増幅器１４で増幅されたＵＨＦ受信信号と、ＢＳ・ＣＳ増幅器１５で増幅されたＢＳ・ＣＳ信号とが合波器１６で混合されて出力端子１２から出力される。
【００１８】
なお、ＵＨＦ入力端子１０にＵＨＦ受信信号が入力される場合は、ＢＳ・ＣＳ入力端子１１にはＢＳ・ＣＳ信号のみが入力されることから、分波器１３で分波されたＵＨＦ受信信号成分は、ＢＳ・ＣＳ信号に含まれていたＵＨＦ帯のノイズ成分となる。このノイズ成分は、ＢＳ・ＣＳアンテナで中間周波数のＢＳ・ＣＳ信号に変換するコンバーターで発生する。ＵＨＦ入力端子１０にＵＨＦ受信信号が入力される場合は、第２スイッチＳＷ２は、図１に示すように切り換えられ、第１回路の可動接点ｃ２は固定接点ｃ３に接続されて、ＵＨＦ帯のノイズ成分は接点ｃ２−ｃ３を介して第２終端抵抗Ｒ２で終端される。この場合、ノイズ成分は、第２スイッチＳＷ２の接点ｃ１−ｃ２間のアイソレーションに応じて減衰されて第１スイッチＳＷ１へ漏れることになるが、漏れたノイズ成分は第１スイッチＳＷ１の接点ｂ２−ａ１，ａ２間のアイソレーションに応じてさらに減衰される。これにより、第１スイッチＳＷ１として高周波スイッチを用いなくても、ＵＨＦ増幅器１４にはＵＨＦ受信信号の視聴に影響しない程度のレベルでしかノイズ成分は漏れないようになる。また、第１スイッチＳＷ１として高周波スイッチを用いると、漏れるノイズ成分をさらに低減することができる。
また、第２スイッチＳＷ２の第２回路の可動接点ｄ２は固定接点ｄ３に接続されて、可動接点ｄ２に供給されている動作電源Vconv１が第２回路の接点ｄ２−ｄ３を介して固定接点ｄ３から出力され、高周波信号を阻止するチョークコイルＣＨ１を通過し、ＢＳ・ＣＳ入力端子１１から出力される。ＢＳ・ＣＳ入力端子１１から出力された動作電源Vconv１は、たとえば図３に示すような経路でＢＳ・ＣＳアンテナに、コンバーターの動作電源として供給される。
【００１９】
ＢＳ・ＣＳ入力端子１１にＵＨＦ受信信号とＢＳ・ＣＳ信号とが混合されて入力される場合は、第１スイッチＳＷ１および第２スイッチＳＷ２が反対側に切り換えられる。すなわち、第１スイッチＳＷ１の第１回路の可動接点ａ２が固定接点ａ３に接続されると共に、第２回路の可動接点ｂ２が固定接点ｂ３に接続され、ＵＨＦ受信信号が入力されない場合は固定接点ａ１が開放される。なお、固定接点ａ３と固定接点ｂ３とは接続線で予め接続されている。また、第２スイッチＳＷ２の第１回路の可動接点ｃ２が固定接点ｃ１に接続されると共に、第２回路の可動接点ｄ２が固定接点ｄ１に接続される。これにより、ＢＳ・ＣＳ入力端子１１に入力された信号の内の分波器１３で分波されたＵＨＦ受信信号の成分が、第２スイッチＳＷ２の第１回路の接点ｃ２−ｃ１を介して、第１スイッチＳＷ１の第２回路の可動接点ｂ２に供給され、接点ｂ２−ｂ３−ａ３−ａ２を介してＵＨＦ増幅器１４に供給される。また、ＢＳ・ＣＳ入力端子１１に入力された高周波信号の内の分波器１３で分波されたＢＳ・ＣＳ信号の成分は、ＢＳ・ＣＳ増幅器１５に供給される。そして、ＵＨＦ増幅器１４で増幅されたＵＨＦ受信信号と、ＢＳ・ＣＳ増幅器１５で増幅されたＢＳ・ＣＳ信号とが合波器１６で混合されて出力端子１２から出力される。
なお、ＢＳ・ＣＳ入力端子１１にＵＨＦ受信信号とＢＳ・ＣＳ信号とが混合されて入力される場合は、分波器１３で分波されたＵＨＦ受信信号成分は、ＵＨＦ受信信号のみとされてノイズが含まれていない（混合される際に、フィルターによりノイズは除去されている）ことから、ＵＨＦ増幅器１４にはＵＨＦ受信信号の視聴に影響するようなノイズ成分は入力されない。
【００２０】
この場合、第２スイッチＳＷ２は反対側に切り換えられていることから、第２回路の可動接点ｄ２に供給された動作電源Vconv１は、開放された固定接点ｄ１に供給されるようになるので、動作電源Vconv１はどこにも供給されない。
図１に示す第１実施例のブースター１では、ＵＨＦ入力端子１０にＵＨＦ受信信号が入力される場合であっても、分波器１３で分波されたＵＨＦ帯のノイズ成分は、第２スイッチＳＷ２の接点間のアイソレーションで減衰された上に、第１スイッチＳＷ１の接点間のアイソレーションで減衰される。従って、第１スイッチＳＷ１に一般的な安価なスイッチを用いても、漏れるノイズ成分を十分低減することできる。また、第１スイッチＳＷ１に高周波スイッチを用いると、漏れるノイズ成分をさらに低減することできる。
【００２１】
次に、本発明の第２実施例のブースター２の回路構成を示す回路図を図２（ａ）に、第３スイッチＳＷ３の第２切換ポジションを図２（ｂ）に、第３スイッチＳＷ３の第３切換ポジションを図２（ｃ）に示す。本発明の第２実施例のブースター２は、図３に示す共同受信システム１００における第１ブースター１１２および第２ブースター１１４に替えて使用することができると共に、図４に示す第３ブースター１１５に替えて使用することができる。また、第２実施例のブースター２は、第１実施例のブースター１において、ＢＳ・ＣＳ入力端子１１にＵＨＦ受信信号とＢＳ・ＣＳ信号とが混合されて入力される場合でも、ＢＳ・ＣＳ入力端子１１から動作電源Vconv1を出力して、ＢＳ・ＣＳアンテナに供給することができる。第２実施例のブースター２の回路構成では、第１実施例のブースター１における２回路２接点の第２スイッチＳＷ２を、２回路３切換ポジションのスライドスイッチとされる第３スイッチＳＷ３に置き換えた回路構成とされており、この構成について主に説明する。
【００２２】
図２（ａ）に示す第２実施例のブースター２は、ＵＨＦ受信信号が入力されるＵＨＦ入力端子１０と、ＢＳ・ＣＳ信号が入力されるＢＳ・ＣＳ入力端子１１と、増幅されて混合されたＵＨＦ受信信号とＢＳ・ＣＳ信号とが出力される出力端子１２とを備えている。ＢＳ・ＣＳ入力端子１１には、ＢＳ・ＣＳ信号が入力される場合と、ＵＨＦ受信信号とＢＳ・ＣＳ信号とが混合されて入力される場合とがある。ＢＳ・ＣＳ入力端子１１にＵＨＦ受信信号とＢＳ・ＣＳ信号とが混合されて入力される場合は、ＵＨＦ入力端子１０には、ＵＨＦ受信信号は入力されない。そして、第１スイッチＳＷ１は、ＵＨＦ受信信号がＵＨＦ入力端子１０に入力された際に、図示するように切り換えられ、ＢＳ・ＣＳ信号にＵＨＦ受信信号が混合されてＢＳ・ＣＳ入力端子１１に入力された場合は、反対側に切り換えられる。第１スイッチＳＷ１の切換動作の態様は、第１実施例のブースター１と同様とされているので、その説明は省略する。
【００２３】
ＢＳ・ＣＳ入力端子１１に入力された高周波信号は、分波器１３でＵＨＦ受信信号の成分とＢＳ・ＣＳ信号の成分とに分波される。分波器１３で分波されたＵＨＦ受信信号成分は、第３スイッチＳＷ３の接点ｃ３に供給される。また、分波器１３で分波されたＢＳ・ＣＳ信号の成分は、ＢＳ・ＣＳ増幅器１５に供給される。そして、ＵＨＦ増幅器１４で増幅されたＵＨＦ受信信号と、ＢＳ・ＣＳ増幅器１５で増幅されたＢＳ・ＣＳ信号とが合波器１６で混合されて出力端子１２から出力される。
【００２４】
なお、ＵＨＦ入力端子１０にＵＨＦ受信信号が入力される場合は、ＢＳ・ＣＳ入力端子１１にはＢＳ・ＣＳ信号のみが入力されることから、分波器１３で分波されたＵＨＦ受信信号成分は、ＢＳ・ＣＳ信号に含まれていたコンバーターで発生するＵＨＦ帯のノイズ成分となる。ＵＨＦ入力端子１０にＵＨＦ受信信号が入力される場合は、第３スイッチＳＷ３は図２（ａ）に示す第１切換ポジションに切り換えられ、第１回路の接点ｃ３が接点ｃ５に接続され、第２回路の接点ｄ３が接点ｄ５に接続されて、ＵＨＦ帯のノイズ成分は第１回路の接点ｃ３−ｃ５を介して第２終端抵抗Ｒ２で終端される。この場合、ノイズ成分は、第３スイッチＳＷ３の接点ｃ２−ｃ３間のアイソレーションに応じて減衰されて第１スイッチＳＷ１へ漏れることになるが、漏れたノイズ成分は第１スイッチＳＷ１の接点ｂ２−ａ１，ａ２間のアイソレーションに応じてさらに減衰される。これにより、第１スイッチＳＷ１として高周波スイッチを用いなくても、ＵＨＦ増幅器１４にはＵＨＦ受信信号の視聴に影響しない程度のレベルでしかノイズ成分は漏れないようになる。また、第１スイッチＳＷ１として高周波スイッチを用いると、漏れるノイズ成分をさらに低減することができる。
また、第３スイッチＳＷ３の第２回路の接点ｄ２−ｄ５を介して、接点ｄ３に供給されている動作電源Vconv１が接点ｄ５から出力され、高周波信号を阻止するチョークコイルＣＨ１を通過し、ＢＳ・ＣＳ入力端子１１から出力される。ＢＳ・ＣＳ入力端子１１から出力された動作電源Vconv１は、たとえば図３に示すような経路でＢＳ・ＣＳアンテナに、コンバーターの動作電源として供給される。
【００２５】
ＢＳ・ＣＳ入力端子１１にＵＨＦ受信信号とＢＳ・ＣＳ信号とが混合されて入力される場合は、第１スイッチＳＷ１が反対側に切り換えられると共に、第３スイッチＳＷ３は、図２（ｂ）に示す第２切換ポジションあるいは図２（ｃ）に示す第３切換ポジションに切り換えられる。第１スイッチＳＷ１が反対側に切り換えられ、第３スイッチＳＷ３が図２（ｂ）に示す第２切換ポジションに切り換えられた場合は、第１スイッチＳＷ１の第１回路の可動接点ａ２が固定接点ａ３に接続されると共に、第２回路の可動接点ｂ２が固定接点ｂ３に接続され、ＵＨＦ受信信号が入力されない場合は固定接点ａ１が開放される。なお、固定接点ａ３と固定接点ｂ３とは接続線で予め接続されている。また、第３スイッチＳＷ３の第１回路の接点ｃ２が接点ｃ４に接続されると共に、第２回路の接点ｄ２が接点ｄ４に接続される。接点ｃ３と接点ｃ４間、および、接点ｄ３と接点ｄ４間は接続線で予め接続されていることから、ＢＳ・ＣＳ入力端子１１に入力された信号の内の分波器１３で分波されたＵＨＦ受信信号の成分が、第３スイッチＳＷ３の第１回路の接点ｃ３−ｃ４−ｃ２を介して、接続線で接続された第１スイッチＳＷ１の可動接点ｂ２に供給され、接点ｂ２−ｂ３−ａ３−ａ２を介してＵＨＦ増幅器１４に供給される。また、ＢＳ・ＣＳ入力端子１１に入力された高周波信号の内の分波器１３で分波されたＢＳ・ＣＳ信号の成分は、ＢＳ・ＣＳ増幅器１５に供給される。そして、ＵＨＦ増幅器１４で増幅されたＵＨＦ受信信号と、ＢＳ・ＣＳ増幅器１５で増幅されたＢＳ・ＣＳ信号とが合波器１６で混合されて出力端子１２から出力される。
なお、ＢＳ・ＣＳ入力端子１１にＵＨＦ受信信号とＢＳ・ＣＳ信号とが混合されて入力される場合は、分波器１３で分波されたＵＨＦ受信信号成分は、ＵＨＦ受信信号のみとされてノイズが含まれていないことから、ＵＨＦ増幅器１４にはＵＨＦ受信信号の視聴に影響するようなノイズ成分は入力されない。
【００２６】
この場合、第３スイッチＳＷ３は図２（ｂ）に示す第２切換ポジションに切り換えられていることから、第２回路の接点ｄ３に供給された動作電源Vconv１は、第２回路の接点ｄ３−ｄ４−ｄ２を介して接点ｄ２から出力され、高周波信号を阻止するチョークコイルＣＨ１を通過し、ＢＳ・ＣＳ入力端子１１から出力される。ＢＳ・ＣＳ入力端子１１から出力された動作電源Vconv１は、たとえば図３に示すような経路でＢＳ・ＣＳアンテナに、コンバーターの動作電源として供給される。
【００２７】
また、ＢＳ・ＣＳ入力端子１１にＵＨＦ受信信号とＢＳ・ＣＳ信号とが混合されて入力される場合に、ブースター２からの動作電源Vconv１の供給が不要とされる場合は、第１スイッチＳＷ１が反対側に切り換えられると共に、第３スイッチＳＷ３が図２（ｃ）に示す第３切換ポジションに切り換えられる。この場合は、第１スイッチＳＷ１の切換動作の態様は上記した通りとなる。また、第３スイッチＳＷ３の第１回路の接点ｃ１が接点ｃ３に接続されると共に、第２回路の接点ｄ１が接点ｄ３に接続される。これにより、ＢＳ・ＣＳ入力端子１１に入力された信号の内の分波器１３で分波されたＵＨＦ受信信号の成分が、第３スイッチＳＷ３の第１回路の接点ｃ３−ｃ１を介して、接続線で接続された第１スイッチＳＷ１の可動接点ｂ２に供給され、接点ｂ２−ｂ３−ａ３−ａ２を介してＵＨＦ増幅器１４に供給される。また、ＢＳ・ＣＳ入力端子１１に入力された高周波信号の内の分波器１３で分波されたＢＳ・ＣＳ信号の成分は、ＢＳ・ＣＳ増幅器１５に供給される。そして、ＵＨＦ増幅器１４で増幅されたＵＨＦ受信信号と、ＢＳ・ＣＳ増幅器１５で増幅されたＢＳ・ＣＳ信号とが合波器１６で混合されて出力端子１２から出力される。
この場合、第３スイッチＳＷ３は  図２（ｃ）に示す第３切換ポジションに切り換えられていることから、第２回路の接点ｄ３に供給された動作電源Vconv１は、開放された接点ｄ１に供給されるようになるので、動作電源Vconv１はどこにも供給されない。
【００２８】
図２（ａ）に示す第２実施例のブースター２では、ＵＨＦ入力端子１０にＵＨＦ受信信号が入力される場合であっても、分波器１３で分波されたＵＨＦ帯のノイズ成分は、第３スイッチＳＷ３の接点間のアイソレーションで減衰された上に、第１スイッチＳＷ１の接点間のアイソレーションで減衰される。従って、第１スイッチＳＷ１に一般的な安価なスイッチを用いても、漏れるノイズ成分を十分低減することできる。また、第１スイッチＳＷ１にして高周波スイッチを用いると、漏れるノイズ成分をさらに低減することができる。
【産業上の利用可能性】
【００２９】
上記した本発明のブースターでは、増幅するための動作電源を有していることから、この動作電源を動作電源Vconv１として利用して、上記説明したようにＢＳ・ＣＳアンテナに供給することができる。
上記説明した本発明のブースターの実施例において、分波器１３では、ＵＨＦ帯を通過させるＢＰＦによりＵＨＦ受信信号成分を分波し、ＢＳ・ＣＳの中間周波数帯を通過させるＢＰＦによりＢＳ・ＣＳ信号成分を分波している。また、合波器１６では、ＵＨＦ帯を通過させるＢＰＦを通過させたＵＨＦ受信信号と、ＢＳ・ＣＳの中間周波数帯を通過させるＢＰＦを通過させたＢＳ・ＣＳ信号とを混合して出力している。
本発明のブースターにおける第１スイッチ、第２スイッチは、本発明のブースターの実施例における第１スイッチＳＷ１、第２スイッチＳＷ２または第３スイッチＳＷ３に相当し、本発明のブースターにおける第１切換回路、第２切換回路は、本発明のブースターの実施例における第１スイッチＳＷ１の第１回路、第２回路に相当し、第３切換回路、第４切換回路は、第２スイッチＳＷ２または第３スイッチＳＷ３の第１回路、第２回路に相当している。
本発明のブースターの実施例においては、ＵＨＦ受信信号とＢＳ・ＣＳ信号とを増幅するブースターとして説明したが、これに限ることはなく、周波数帯域の異なる複数の高周波信号を増幅して出力するブースターに適用することができる。
【符号の説明】
【００３０】
１  ブースター、２  ブースター、１０  ＵＨＦ入力端子、１１  ＢＳ・ＣＳ入力端子、１２  出力端子、１３  分波器、１４  ＵＨＦ増幅器、１５  ＢＳ・ＣＳ増幅器、１６  合波器、１００  共同受信システム、１１０  ＵＨＦアンテナ、１１１  ＢＳ・ＣＳアンテナ、１１１  第１ブースター、１１２  分配器、１１３ａ，１１３ｂ，１１３ｃ，１１３ｄ  分配器、１１４  第２ブースター、１１５ａ，１１５ｂ，１１５ｃ，１１５ｃ  分配器、１１６  混合器、２００  ブースター、２１０  ＵＨＦ入力端子、２１１  ＢＳ・ＣＳ入力端子、２１２  出力端子、２１３  分波器、２１４  ＵＨＦ増幅器、２１５  ＢＳ・ＣＳ増幅器、２１６  合波器、ＳＷ１  第１スイッチ、ＳＷ２  第２スイッチ、ＳＷ３  第３スイッチ、ＳＷ２０１  スイッチ、ＳＷ２０２  スイッチ、Vconv1  動作電源、Vconv217  動作電源
【図１】
0006444261.tif 000002
【図２】
0006444261.tif 000003
【図３】
0006444261.tif 000004
【図４】
0006444261.tif 000005
【図５】
0006444261.tif 000006